(57)【要約】【課題】  連続して放映される番組を連続再生できるように記録する。【解決手段】  データ記録再生装置がデータを記録する処理は、録画の指示を検出するステップ（Ｓ３０２）と、受信チャネルに対応する番組の情報を取得するステップ（Ｓ３０４）と、その番組は連続ドラマであるか否かを判断するステップ（Ｓ３０６）と、その番組が連続ドラマである場合に前回の録画の終了位置を取得するステップ（Ｓ３０８）と、情報記録ヘッドを終了位置に移動させるステップ（Ｓ３１０）と、録画を開始する指示を出力するステップ（Ｓ３１２）と、録画終了の位置をハードディスクに記憶するステップ（Ｓ３１８）とを含む。【選択図】        図３
2005310195.tif 000002
【特許請求の範囲】
【請求項１】
映像データおよび音声データのいずれかを含む放送データを受信するための手段と、
受信された前記放送データを記録するためのランダムアクセス可能な記録手段と、
前記放送データが記録された領域を表わす領域データを記録するための手段と、
利用者が入力する入力情報を取得するための手段と、
前記入力情報に基づいて、受信された前記放送データの属性を表わす属性データを取得するための手段と、
取得された前記属性データに基づいて、受信された放送データの内容が既に記録されている前記放送データの内容に関連があるか否かを判断するための判断手段と、
受信された前記放送データの内容が既に記録されている前記放送データの内容に関連があると判断されると、既に記録されている前記放送データに対応する前記領域データが表わす前記領域に続く領域に、受信された前記放送データを記録するように前記記録手段を制御するための制御手段とを含む、データ記録再生装置。
【請求項２】
映像データおよび音声データのいずれかを含む放送データを受信するための手段と、
受信された前記放送データを記録するための記録手段と、
前記放送データの記録された領域を表わす領域データを記録するための手段と、
受信された前記放送データの属性を表わす属性データを取得するための取得手段と、
取得された前記属性データに基づいて、受信された放送データが既に記録されている前記放送データに関連があるか否かを判断するための判断手段と、
受信された前記放送データが既に記録されている前記放送データに関連があると判断されると、既に記録されている前記放送データに対応する前記領域データが表わす前記領域に続く領域に、受信された前記放送データを記録するように前記記録手段を制御するための制御手段とを含む、データ記録再生装置。
【請求項３】
前記データ記録再生装置は、利用者が入力する入力情報を取得するための手段をさらに含み、
前記取得手段は、前記入力情報から前記属性データを取得するための手段を含む、請求項２に記載のデータ記録再生装置。
【請求項４】
前記放送データは前記属性データを含み、
前記取得手段は、受信された前記放送データから前記属性データを取得するための手段を含む、請求項２に記載のデータ記録再生装置。
【請求項５】
前記データ記録再生装置は、電子的に表現された、前記放送データについてのプログラム情報を取得するための手段をさらに含み、
前記取得手段は、取得された前記プログラム情報から前記属性データを取得するための手段を含む、請求項２に記載のデータ記録再生装置。
【請求項６】
前記属性データは、前記放送データが表わす内容のタイトルに対応する名称データおよびチャネルデータを含み、
前記判断手段は、既に記録されている前記放送データについての前記チャネルデータと受信された前記放送データについての前記チャネルデータとが一致し、前記受信された前記放送データの前記名称データと既に記録された前記放送データの前記名称データとを比較し、受信された前記放送データの名称データと記録された前記放送データの名称データとが共通部分を有する場合には、受信された放送データが既に記録されている前記放送データに関連があると判断する、請求項２〜５のいずれかに記載のデータ記録再生装置。
【請求項７】
前記属性データは、前記放送データが継続して放送されるか否かを表わすデータを含み、
前記判断手段は、前記属性データが前記放送データは継続して放送されることを表わすデータを含む場合には、受信された放送データが既に記録されている前記放送データに関連があると判断する、請求項２〜５のいずれかに記載のデータ記録再生装置。
【請求項８】
前記記録手段はハードディスク装置である、請求項２〜７のいずれかに記載のデータ記録再生装置。
【請求項９】
前記記録手段はビデオテープである、請求項２〜７のいずれかに記載のデータ記録再生装置。
【発明の詳細な説明】
【技術分野】
【０００１】
本発明は、データを記録する技術に関し、特に複数の放送データをデータ間の関連性に基づいて記録する技術に関する。
【背景技術】
【０００２】
放送番組の中には、ドラマあるいはシリーズ番組のように、複数回に分けて放送される番組がある。このような番組を含む映像音声データを、ＶＴＲ（Video Tape Recorder）、ＨＤＤ（Hard Disk Drive）装置その他の記録装置に録画する場合、記録位置が指定されなければ、その録画が指示されたときの状態に基づいて録画が行なわれる。たとえば、映像音声データがＶＴＲに録画される場合は、録画ヘッドの位置からテープに録画され、ＨＤＤあるいはＤＶＤに記録される場合には、記録可能な空き領域の先頭から記録される。そのため、放送データを所定の記録位置に記録するためには、テープの録画開始位置が既に録画された放送データの録画終了位置に続くように、テープの位置を調整する必要があった。
【０００３】
そこで、このような問題を解決するために、たとえば特開２００１−２２３９７４号公報（特許文献１）は、ユーザによる記録開始位置の調整が不要となる映像記録装置を開示する。この装置は、ランダムアクセス可能な記録媒体と、ユーザが録画予約を指定する指定部と、記録媒体の録画領域を管理する回路と、指定された録画予約を録画ルールに変換して保持する回路と、録画条件が成立したか否かを判断する回路と、録画条件が成立した場合に録画する回路とを含む。
【０００４】
この映像記録装置によると、録画が利用者によって予約されたときに記録用のファイル領域が割り当てられるため、記録開始位置の調整を行なうことなく、映像を記録するための設定を行なうことができる。
【特許文献１】特開２００１−２２３９７４号公報
【発明の開示】
【発明が解決しようとする課題】
【０００５】
ところで、利用者がたとえば連続ドラマのように一連の映像著作物として作成された映像を続けて視聴するために、連続的に再生したいという要望がある。
【０００６】
しかしながら、たとえば上記特許文献１に開示された映像記録装置によると、連続ドラマなどの著作物は、録画の予約時に予め割り当てられる領域に上書きして保存されるため、これらの映像著作物を連続的に再生することができないという問題があった。
【０００７】
本発明は、上述の問題点を解決するためになされたものであって、その目的は、相互に関連性を有する放送データを連続的に再生することができるデータ記録再生装置を提供することである。
【課題を解決するための手段】
【０００８】
上記の課題を解決するために、この発明のある局面に従うと、データ記録再生装置は、映像データおよび音声データのいずれかを含む放送データを受信するための手段と、受信された放送データを記録するためのランダムアクセス可能な記録手段と、放送データが記録された領域を表わす領域データを記録するための手段と、利用者が入力する入力情報を取得するための手段と、入力情報に基づいて、受信された放送データの属性を表わす属性データを取得するための手段と、取得された属性データに基づいて、受信された放送データの内容が既に記録されている放送データの内容に関連があるか否かを判断するための判断手段と、受信された放送データの内容が既に記録されている放送データの内容に関連があると判断されると、既に記録されている放送データに対応する領域データが表わす領域に続く領域に、受信された放送データを記録するように記録手段を制御するための制御手段とを含む。
【０００９】
上記の構成を有するデータ記録再生装置によると、映像データおよび音声データのいずれかを含む放送データは、ランダムアクセス可能な記録手段（たとえば、ハードディスク記録再生装置）に記録される。利用者により入力された入力情報が取得されると、受信される放送データの属性を表わす属性データがその入力情報に基づいて取得される。この属性には、放送データの種類（ドラマ、ニュース、映画等）、あるいは連続して（シリーズ物として）放送される番組であるか否か、あるいは放送日時などが含まれる。判断手段は、その属性データに基づいて、受信された放送データの内容が既に記録されている放送データの内容に関連があるか否かを判断する。たとえば、複数回に分けて放送されるドラマを表わすコードが属性データに含まれている場合、その属性データを有する放送データは、関連を有すると判断される。制御手段は、そのようにして判断された、受信される放送データを、既に記録されている放送データに対応する領域データが表わす領域に続く領域に記録するように、記録手段を制御する。このようにすると、関連を有する放送データ（たとえば、毎週あるいは毎日同時刻に放送されるドラマ、あるいはニュースその他の番組）を続けて記録手段に記録させることができるため、利用者がデータを再生する場合にも、そのような関連を有する放送データを連続して再生させることができる。これにより、相互に関連性を有する放送データを連続的に再生することができるデータ記録再生装置を提供することができる。
【００１０】
この発明の他の局面に従うと、データ記録再生装置は、映像データおよび音声データのいずれかを含む放送データを受信するための手段と、受信された放送データを記録するための記録手段と、放送データの記録された領域を表わす領域データを記録するための手段と、受信された放送データの属性を表わす属性データを取得するための取得手段と、取得された属性データに基づいて、受信された放送データが既に記録されている放送データに関連があるか否かを判断するための判断手段と、受信された放送データが既に記録されている放送データに関連があると判断されると、既に記録されている放送データに対応する領域データが表わす領域に続く領域に、受信された放送データを記録するように記録手段を制御するための制御手段とを含む。
【００１１】
上記の構成を有するデータ記録再生装置によると、映像データおよび音声データのいずれかを含む放送データは、記録手段（たとえば、ハードディスク装置、ビデオテープレコーダ等）に記録される。受信された放送データの属性を表わす属性データが取得されると、その属性データに基づいて、受信された放送データが既に記録されている放送データに関連があるか否かが判断される。この属性データは、たとえば利用者が入力する情報、放送データに付随して送信されるデータ、あるいは電子情報として与えられるデータから取得される。受信された放送データが既に記録されている放送データに関連があると判断されると、既に記録されている放送データに対応する領域データが表わす領域に続く領域に、受信された放送データが記録される。このようにすると、関連を有する放送データを続けて記録手段に記録させることができるため、利用者がデータを再生する場合にも、そのような関連を有する放送データを連続して再生させることができる。
【００１２】
好ましくは、データ記録再生装置は、利用者が入力する入力情報を取得するための手段をさらに含む。取得手段は、入力情報から属性データを取得するための手段を含む。
【００１３】
上記のデータ記録再生装置によると、利用者が情報を入力することにより、記録される属性データを与えることができるため、利用者の指示に応じて、放送データが既に記録されている領域に続く領域に、新たに受信される放送データを記録することができる。
【００１４】
好ましくは、放送データは属性データを含む。取得手段は、受信された放送データから属性データを取得するための手段を含む。
【００１５】
上記のデータ記録再生装置によると、放送データごとに付随する属性データに応じて、既に放送データが記録されている領域に続く領域に、新たに受信される放送データを記録することができる。
【００１６】
好ましくは、データ記録再生装置は、電子的に表現された、放送データについてのプログラム情報を取得するための手段をさらに含む。取得手段は、取得されたプログラム情報から属性データを取得するための手段を含む。
【００１７】
上記のデータ記録再生装置によると、電子的に表現された、放送データについてのプログラム情報が取得され、その情報に含まれる属性データに基づいて、放送データが既に記録されている領域に続く領域に、新たに受信される放送データを記録することができる。
【００１８】
好ましくは、属性データは、放送データが表わす内容のタイトルに対応する名称データおよびチャネルデータを含む。判断手段は、既に記録されている放送データについてのチャネルデータと受信された放送データについてのチャネルデータとが一致し、受信された放送データの名称データと既に記録された放送データの名称データとを比較し、受信された放送データの名称データと記録された放送データの名称データとが共通部分を有する場合には、受信された放送データが既に記録されている放送データに関連があると判断する。
【００１９】
上記のデータ記録再生装置によると、受信された放送データのチャネルが、既に記録されている放送データのチャネルと同一である場合、受信された放送データの名称データと既に記録された放送データの名称データとが比較される。受信された放送データの名称と記録された放送データの名称とが共通部分を有する場合には、受信された放送データと既に記録されている放送データとが関連を有すると判断され、新たに受信された放送データは、放送データが既に記録された領域に続けて記録される。このようにすると、新たなデータを与えることなく、放送データが表わす内容のタイトルに対応する名称データに共通部分を有する放送データを、既に記録された放送データに続けて記録することができる。
【００２０】
好ましくは、属性データは、放送データが継続して放送されるか否かを表わすデータを含む。判断手段は、属性データが放送データは継続して放送されることを表わすデータを含む場合には、受信された放送データが既に記録されている放送データに関連があると判断する。
【００２１】
上記のデータ記録再生装置によると、放送データが継続して放送されるか否かを表わすデータ（たとえば、放送時間帯別に与えられた符号）が放送データに付随されて送信される場合には、そのデータに基づいて、新たに受信される放送データを既に記録されている放送データに続けて記録することができる。
【００２２】
好ましくは、記録手段はハードディスク装置である。
【００２３】
上記のデータ記録再生装置によると、データの記録領域へのアクセスがランダムにできるため、所定の条件が成立した場合に実行される放送データの連続的な記録を、速やかに実行することができる。
【００２４】
好ましくは、記録手段はビデオテープである。
【００２５】
上記のデータ記録再生装置によると、ビデオテープに対して、所定の条件を満足する放送データが連続して記録される。
【発明の効果】
【００２６】
本発明に係るデータ記録再生装置によると、関連を有する放送データを続けて記録することができるため、利用者がデータを再生する場合にも、そのような関連を有する放送データを連続して再生することができる。
【発明を実施するための最良の形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、本発明の実施の形態に係るデータ記録再生装置１００の構成について説明する。図１は、データ記録再生装置１００を表わすブロック図である。
【００２９】
このデータ記録再生装置１００は、システム制御回路１１０と、ＯＳＤ（On Screen Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１３６と、出力部１３８とを含む。システム制御回路１１０はメモリ１１２を含む。ハードディスク装置１４０は、ハードディスク１４４と情報記録ヘッド１４２とを含む。
【００３０】
データ記録再生装置１００は、たとえばＨＤＤ（Hard Disk Drive）レコーダであるが、これに限られない。たとえばＨＤＤを備えるＰＣ（Personal Computer）であってもよい。この場合、各部の動作は、システム制御回路１１０からの信号の代わりに、ＣＰＵ（Central Processing Unit）からの指令に基づいて制御される。
【００３１】
データ記録再生装置１００は、テレビ１５０に接続される。なお、テレビ１５０に代えて、表示専用モニタ等が表示装置としてデータ記録再生装置１００に接続されてもよい。
【００３２】
システム制御回路１１０は、後述するように信号の入出力を行ないながら、データ記録再生装置１００の動作を制御する。この動作には、受信された映像音声データの記録、記録されたデータの読み出し等が含まれる。この制御は、たとえばメモリ１１２に予め記憶されたプログラムに基づいて行なわれる。
【００３３】
ＯＳＤ画像生成回路１１４は、操作部１２２あるいは受光部１２４を介して取得したユーザの指示に基づいて、あるいはシステム制御回路１１０において予め定められた条件が成立した場合に、メッセージ画像を表示するための信号を生成する。このメッセージ画像とは、チャネル表示、録画設定画面表示、音量表示その他の画像であって、ハードディスク装置１４０に記録されている画像とは異なる。ＯＳＤ画像生成回路１１４は、このようなメッセージ画像の信号を生成すると、出力部１３８に出力する。この信号が出力されると、その信号が表わすメッセージ画像がテレビ１５０に表示される。
【００３４】
操作部１２２は、ユーザの操作（たとえばボタンの押下）により入力された指示を検出する。操作部１２２は、たとえばデータ記録再生装置１００の前面のパネルに設けられた入力ボタンであるが、これに限られない。指示が検出されると、その指示に対応する処理を各部に実行させるための信号が生成される。この処理には、チューナ１３０による受信チャネルの選択処理、データの再生、記録その他の処理等が含まれる。生成された信号は、システム制御回路１１０に入力される。
【００３５】
受光部１２４は、後述するリモコン端末から発せられたリモコン信号を受信する。この信号は、システム制御回路１１０に入力される。
【００３６】
計時回路１２６は、データ記録再生装置１００における時間を計測する。計時回路１２６は、外部から供給される電源に基づいて作動するが、一時的な停電があっても、予め設定された時間は作動しつづけることができる。計時回路１２６は、時刻データをシステム制御回路１１０に出力する。また、システム制御回路１１０からの制御信号がこの回路に入力される。計時回路１２６の時刻は、この信号に基づいて補正される。
【００３７】
表示部１２８は、データ記録再生装置１００に関する情報を表示する。この情報には、時間、受信チャネル、カウンタ、録画／再生モードその他の項目が含まれる。この表示部１２８は、たとえばデータ記録再生装置１００の前面に形成されたインジケータであるが、これに限られない。
【００３８】
チューナ１３０には、アンテナ１９０が接続される。チューナ１３０は、アナログ放送、デジタル放送等の放送データを受信することができるチューナであればよい。チューナ１３０により受信された電波は、ＭＰＥＧエンコーダ１３２に出力される。また、チューナ１３０は、システム制御回路１１０からの信号に基づいて受信チャネルを切り換えることができる。
【００３９】
ＭＰＥＧエンコーダ１３２は、チューナ１３０から入力された信号をデジタル信号に変換して、システム制御回路１１０に出力する。
【００４０】
ハードディスク装置１４０は、システム制御回路１１０からの信号に基づいて、ＭＰＥＧ符号化されたデータを情報記録ヘッド１４２によりハードディスク１４４に書き込んだり、ハードディスク１４４に記録されたデータを読み出したりする。
【００４１】
ＭＰＥＧデコーダ１３６は、ハードディスク装置１４０から読み出された、ＭＰＥＧ符号化されたデータを復号化して出力部１３８に出力する。
【００４２】
出力部１３８は、ＯＳＤ画像生成回路１１４からの信号およびＭＰＥＧデコーダ１３６からの信号をテレビ１５０に出力する。これにより、テレビ１５０には、ＯＳＤ画像生成回路１１４により生成された画像メッセージと、ハードディスク装置１４０から読み出された映像とが表示される。
【００４３】
図２（Ａ）および図２（Ｂ）を参照して、本実施の形態に係るデータ記録再生装置１００が記録するデータについて説明する。図２（Ａ）は、ハードディスク１４４に記録されるデータの構造を表わす図である。図２（Ｂ）は、受信されたデータがハードディスク１４４にさらに記録された場合に、ハードディスク１４４に記録されるデータの構造を表わす図である。
【００４４】
このデータは、たとえばチューナ１３０を介して受信したテレビ放送あるいはラジオ放送を表わす放送データである。このような放送は、アナログ放送およびデジタル放送のいずれであってもよい。
【００４５】
図２（Ａ）に示すように、格納されるデータレコードを特定する「Ｎｏ.」は、フィールド２０２に格納される。
【００４６】
番組の名称を表わすデータは、フィールド２０４に格納される。このデータは、たとえば送信される番組に付随して送られる。
【００４７】
録画開始ディスクＮｏ．は、フィールド２０６に格納される。録画開始シリンダＮｏ．は、フィールド２０８に格納される。録画開始トラックＮｏ．は、フィールド２１０に格納される。なお、これらの録画開始位置を特定するためのデータの項目は、上記の項目に限られず、一意に特定可能なデータ項目であればよい。
【００４８】
同様に、録画終了ディスクＮｏ．は、フィールド２１２に格納される。録画終了シリンダＮｏ．は、フィールド２１４に格納される。録画終了トラックＮｏ．は、フィールド２１６に格納される。
【００４９】
上書き録画コードは、フィールド２１８に格納される。このコードは、このレコードに格納されているデータに対して、上書きが可能であるか否かを表わすコードである。
【００５０】
図２（Ａ）に示すように、このハードディスク装置１４０には、「ドラマ１話」、「ドラマ２話」、「バラエティ」、「映画」の順に受信された番組が記録されている。この場合、たとえば「ドラマ２話」は、ディスク「０１」のシリンダ「２０」のトラック「０２」からそのディスクのシリンダ「４０」のトラック「０２」に記録される。このデータは、上書き録画が「禁止」されている。
【００５１】
図２（Ｂ）を参照して、本実施の形態に係るデータ記録再生装置１００により録画された場合におけるデータについて説明する。図２（Ｂ）に示すデータ構造は、図２（Ａ）に示したデータ構造と同じである。したがって、それらについての説明はここでは繰り返さない。
【００５２】
この図２（Ｂ）に示されるデータの構造は、後述するプログラムが実行されることにより、チューナ１３０を介して受信された連続番組（たとえば「ドラマ３話」）が「ドラマ２話」に続けて録画された場合を表わす。すなわち、データＮｏ．「２」として記録されていた「ドラマ２話」の後に、「ドラマ３話」がデータＮｏ.「３」として記録される。
【００５３】
この場合、「ドラマ３話」のデータの記録の開始位置、すなわち「録画開始ディスクＮｏ．」、「録画開始シリンダＮｏ．」、および「録画開始トラックＮｏ.」は、既に記録されていた「バラエティ」の開始位置と同じであるが、録画の終了位置は、「ドラマ３話」の容量に応じた位置が格納される（フィールド２１２〜２１６）。その結果、バラエティの録画の開始位置を表わすデータは、ドラマ３話の録画の終了位置に続くデータとなる。
【００５４】
図３を参照して、本実施の形態に係るデータ記録再生装置１００を実現するシステム制御回路１１０の制御構造について説明する。図３は、システム制御回路１１０が実行する処理の手順を表わすフローチャートである。
【００５５】
ステップＳ３０２にて、システム制御回路１１０は、録画の指示を検出する。この検出は、たとえば利用者がリモコン端末（図示しない）を操作して録画ボタンを押下することにより、あるいは計時回路１２６の時刻が予約された録画時刻に到達した場合に行なわれる。
【００５６】
ステップＳ３０４にて、システム制御回路１１０は、予め設定されたチューナ１３０の受信チャネルに基づいて、録画する番組の情報を取得する。この情報は、たとえば番組に付随して送信される場合もあれば、利用者が所定のボタンを押下して番組についての属性データを直接入力することにより、取得される場合もある。
【００５７】
ステップＳ３０６にて、システム制御回路１１０は、その番組が連続ドラマであるか否かを判断する。この判断は、たとえば取得された情報に基づいて行なわれたり、あるいは利用者が入力した属性データに基づいて行なわれる。この場合、その情報あるいは属性データに連続ドラマであることを表わすコードが含まれていると、その番組は連続ドラマであると判断される。その番組が連続ドラマであると判断した場合には（ステップＳ３０６にてＹＥＳ）、処理はステップＳ３０８に移される。もしそうでないと（ステップＳ３０６にてＮＯ）、処理はステップＳ３１０に移される。
【００５８】
ステップＳ３０８にて、システム制御回路１１０は、前回録画した番組の終了位置を取得する。この取得は、たとえばハードディスク装置１４０の所定の領域（フィールド２１２〜２１６）に記録された終了位置を表わすデータを読出すことにより行なわれる。
【００５９】
ステップＳ３１０にて、システム制御回路１１０は、ハードディスク装置１４０の情報記録ヘッド１４２をその終了位置に移動させる。
【００６０】
ステップＳ３１２にて、システム制御回路１１０は、指定された番組の録画を開始する指示を出力する。これにより、チューナ１３０を介して受信された番組は、ＭＰＥＧエンコーダ１３２を経て、情報記録ヘッド１４２によりハードディスク１４４に書き込まれる。
【００６１】
ステップＳ３１４にて、システム制御回路１１０は、録画終了の指示を検出する。この検出は、たとえば予め設定された録画終了時刻になったときに行なわれる。あるいは利用者が録画終了のボタンを押下した場合に行なわれる。
【００６２】
ステップＳ３１６にて、システム制御回路１１０は、録画を終了する指示を出力する。これにより、情報記録ヘッド１４２によるハードディスク１４４へのデータの書き込みが終了する。
【００６３】
ステップＳ３１８にて、システム制御回路１１０は、録画終了の位置をハードディスク１４４の所定の領域に記録する。
【００６４】
図４を参照して、データ記録再生装置１００に録画された番組を再生する場合におけるシステム制御回路１１０の制御構造について説明する。図４は、システム制御回路１１０が番組を再生する場合に実行する処理の手順を表わすフローチャートである。以下の処理は、たとえば利用者が再生画面において、番組の再生モードの１つである連続再生モードを選択した場合に実行される。
【００６５】
ステップＳ４０２にて、システム制御回路１１０は、記録されているファイルのリストを表示する指示を出力する。これにより、テレビ１５０にはハードディスク装置１４０に記録された録画情報が表示される。この録画情報には、データ番号、番組名、連続番組であることを表わす属性、記録時間、記録日時、記録モードなどが含まれる。
【００６６】
ステップＳ４０４にて、システム制御回路１１０は、利用者が選択した、再生するファイルの番号を取得する。この取得は、利用者がリモコン端末（図示しない）の所定のボタンを押下した場合に行なわれる。
【００６７】
ステップＳ４０６にて、システム制御回路１１０は、取得したファイル番号に基づいて情報記録ヘッド１４２を所定の位置に移動させる。この位置は、すなわちデータの録画開始位置である。
【００６８】
ステップＳ４０８にて、システム制御回路１１０は、選択されたファイルを再生する指示を出力する。これにより、ハードディスク装置１４０の所定の領域に記録された放送データが読み出され、ＭＰＥＧデコーダ１３６により復号化される。復号化されたデータは、出力端子１３８に接続されたテレビ１５０に送られる。
【００６９】
ステップＳ４１０にて、システム制御回路１１０は、再生の終了の指示を検出したか否かを判断する。この検出は、たとえば利用者がリモコン端末の停止ボタンを押下した場合に行なわれる。再生の終了の指示を検出したと判断した場合には（ステップＳ４１０にてＹＥＳ）、処理はステップＳ４１４に移される。もしそうでないと（ステップＳ４１０にてＮＯ）、処理はステップＳ４１２に移される。
【００７０】
ステップＳ４１２にて、システム制御回路１１０は、次のファイルの再生を開始する指示を出力する。この場合、連続ドラマはハードディスク１４４の所定の領域に所定の順序に基づいて記録されている。そのため、次のドラマのファイルは、情報記録ヘッド１４２の移動を伴うことなく読み出される。
【００７１】
ステップＳ４１４にて、システム制御回路１１０は、ファイルの再生を終了する指示を出力する。これにより、情報記録ヘッド１４２は、データの読出モードを終了し、待機状態に切り替わる。
【００７２】
ステップＳ４１６にて、システム制御回路１１０は、初期設定画面の表示の指示を出力する。この指示が出力されると、テレビ１５０には初期設定画面が表示される。この画面は、たとえば再生メニュー、あるいは予め設定されたブルーバック画面である。
【００７３】
以上のような構造およびフローチャートに基づく、本実施の形態に係るデータ記録再生装置１００の動作について、データを記録する場合と再生する場合とに分けて説明する。
【００７４】
［データを記録する場合］
利用者が、録画の予約のために情報を入力すると、その情報から指示が検出される（ステップＳ３０２）。その情報に基づいて設定された受信チャネルに対応する番組の情報が取得される（ステップＳ３０４）。その番組が連続ドラマである場合には（ステップＳ３０６にてＹＥＳ）、前回録画されたドラマの終了位置が取得される（ステップＳ３０８）。ハードディスク装置１４０の情報記録ヘッド１４２が所定の位置に移動し（ステップＳ３１０）、録画が開始される（ステップＳ３１２）。所定の時間が来て録画を終了すると（ステップＳ３１６）、そのときの位置がハードディスク装置１４０に保存される（ステップＳ３１８）。
【００７５】
このようにして、たとえば受信された連続ドラマが第３回目の放送である場合には、既に放送され記録された第２回目の番組の後に続けて、ハードディスク１４４に記録される。すなわち、図２（Ｂ）に示すように、番組「Ｎｏ．２」として記録された「ドラマ２話」に続けて「ドラマ３話」が番組「Ｎｏ．３」として記録される。
【００７６】
［データを再生する場合］
利用者がリモコン端末を操作して（たとえば、再生メニューを表示させて所定の番組を選択した場合）ハードディスク装置１４０に記録された番組を再生しようとすると、テレビ１５０には所定のファイルのリストが表示される（ステップＳ４０２）。利用者がそのリストの中から番組を選択すると、ハードディスク装置１４０の情報記録ヘッド１４２がその番組に対応するファイル番号に対応する所定の位置に移動する（ステップＳ４０６）。
【００７７】
番組の再生が始まると（ステップＳ４０８）、利用者が再生の終了を指示しない限り（ステップＳ４１０にてＮＯ）、次のファイルが再生される（ステップＳ４１２）。たとえば、図２（Ｂ）に示したように利用者が第２回目のドラマを視聴している場合、そのドラマが終了すると、第３回目のドラマが継続して再生される。
【００７８】
その後、利用者がリモコン端末を操作して再生の終了を指示すると（ステップＳ４１４）、テレビ１５０には初期の再生画面が表示される。
【００７９】
以上のようにして、本実施の形態に係るデータ記録再生装置１００は、検出した録画の指示に基づいてその指示に対応するチャネルにて放送される番組の情報を取得する。その情報に基づいて番組が連続性を有する番組（たとえば、連続して放映されるドラマ、ニュース等）であると判断すると、その番組について既に記録された位置を読み出し、その後に続けて番組を録画する。
【００８０】
このようにすると、たとえば連続ドラマあるいはシリーズ番組のように連続して放送される番組はハードディスク１４４の所定の領域に続けて記録されるため、再生時に、それらの情報を連続して再生することができる。これにより、相互に関連性を有する映像を連続的に再生することができるデータ記録再生装置を提供することができる。
【００８１】
＜第２の実施の形態＞
以下、本発明の第２の実施の形態について説明する。なお、本実施の形態に係るデータ記録再生装置１００のハードウェア構成は、第１の実施の形態と同じである。したがって、それらについての詳細な説明はここでは繰り返さない。
【００８２】
本実施の形態に係るデータ記録再生装置は、相互に関連性を有する情報をハードディスク１４４において必ずしも連続して記録しないという点で、前述の第１の実施の形態と異なる。
【００８３】
図５を参照して、ハードディスク１４４に記録されるデータについて説明する。図５（Ａ）は、ハードディスク１４４に記録された映像情報の配列を表わす図である。図５（Ｂ）は、その情報の位置関係を表わすデータを格納したテーブル構造を表わす図である。
【００８４】
図５（Ａ）を参照して、「ドラマ１話」は、セクタ５０２に記録される。「ドラマ２話」は、セクタ５０４に格納される。これらのドラマと異なる「別のドラマ」は、セクタ５０６に格納される。同様に以下記録された映像情報がその記録順にハードディスク１４４に書き込まれている。なお、ここでセクタとは、ハードディスク１４４におけるデータの記録の単位をいう。
【００８５】
図５（Ｂ）を参照して、番組番号は、フィールド５２２に格納される。番組の名称は、フィールド５２４に格納される。録画開始ディスクＮｏ．は、フィールド５２６に格納される。録画開始シリンダＮｏ．は、フィールド５２８に格納される。録画開始トラックＮｏ．は、フィールド５３０に格納される。録画終了ディスクＮｏ．は、フィールド５３２に格納される。録画終了シリンダＮｏ．は、フィールド５３４に格納される。録画終了トラックＮｏ．は、フィールド５３６に格納される。グループＮｏ．は、フィールド５３８に格納される。このグループＮｏ．は、各セクタに記録された映像が属するグループを特定するための番号である。この番号は、その映像の受信とともに送られる情報に基づいて自動的に設定される場合もあれば、利用者による情報入力に基づいて設定する場合もある。
【００８６】
再生順序は、フィールド５４０に格納される。この再生順序は、利用者が再生指示を入力した場合に再生する順番を表わす。すなわち、同一のグループに属する映像情報が記録されている場合には、この再生順序に基づいて番号の昇順により再生される。
【００８７】
図６を参照して、本実施の形態に係るデータ記録再生装置１００を実現するシステム制御回路１１０の制御構造について説明する。図６は、システム制御回路１１０が実行する処理の手順を表わすフローチャートである。なお、前述の第１の実施の形態に係る処理と同じ処理には同一のステップ番号を付し、それらについての説明は繰り返さない。
【００８８】
ステップＳ６０４にて、システム制御回路１１０は、録画の開始位置を取得する。この取得は、ハードディスク１４４の所定の領域に記録された番組の録画終了位置を読み出すことにより行なわれる。
【００８９】
ステップＳ６０６にて、システム制御回路１１０は、情報記録ヘッド１４２を開始位置に移動させる。
【００９０】
ステップＳ６１８にて、システム制御回路１１０は、受信チャネルに対応する番組の情報を取得する。この取得は、たとえば映像情報とともに送信される付随情報からその番組の情報を取得することにより行なわれる。
【００９１】
ステップＳ６２０にて、システム制御回路１１０は、その番組が連続ドラマであるか否かを判断する。この判断は、ステップＳ６１８にて取得された番組の情報に基づいて行なわれる。その番組が連続ドラマである場合には（ステップＳ６２０にてＹＥＳ）、処理はステップＳ６２２に移される。もしそうでないと（ステップＳ６２０にてＮＯ）、処理はステップＳ６２４に移される。
【００９２】
ステップＳ６２２にて、システム制御回路１１０は、再生順序をファイルの属性情報として生成する。この生成は、たとえばハードディスク１４０に既に記録された前回録画された番組の再生順序に関連付けられるように行なわれる。
【００９３】
ステップＳ６２４にて、システム制御回路１１０は、一般の属性情報を生成する。なお、一般の属性情報とは、たとえば録画日時あるいは録画モードである。
【００９４】
ステップＳ６２６にて、システム制御回路１１０は、その属性情報をハードディスク装置１４０の所定の領域に記録する。
【００９５】
図７を参照して、データ記録再生装置１００に記録された映像を再生する場合におけるシステム制御回路１１０の制御構造について説明する。図７は、システム制御回路１１０が実行する処理の手順を表わすフローチャートである。なお、図４に示した処理と同じ処理には同一のステップ番号を付し、ここではその説明は繰り返さない。
【００９６】
ステップＳ７０８にて、システム制御回路１１０は、選択されたファイルＡの再生を開始する。
【００９７】
ステップＳ７１０にて、システム制御回路１１０は、ハードディスク装置１４０からファイルＡの再生番号を読み出す。
【００９８】
ステップＳ７１２にて、システム制御回路１１０は、その再生番号の次の番号を有するファイルＢを検索する。
【００９９】
ステップＳ７１４にて、システム制御回路１１０は、ファイルＡの再生が終了したか否かを判断する。この判断は、たとえばハードディスク装置１４０の情報記録ヘッダ１４２を介して所定の信号（たとえばデータの記録の終了を表わす信号）を検知したか否かに基づいて行なわれる。ファイルＡの再生が終了したと判断すると（ステップＳ７１４にてＹＥＳ）、処理はステップＳ７１８に移される。もしそうでないと（ステップＳ７１４にてＮＯ）、処理はステップＳ７１６に移される。
【０１００】
ステップＳ７１６にて、システム制御回路１１０は、ファイルの再生を継続する。
【０１０１】
ステップＳ７１８にて、システム制御回路１１０は、ステップＳ７１２にて検索したファイルＢが存在するか否かを判断する。この判断は、たとえばファイルＢを表わすコードを取得したか否か、あるいは検索により該当するファイルが存在しないことを表わすコードを取得したか否かに基づいて行なわれる。ファイルＢが存在する場合には（ステップＳ７１８にてＹＥＳ）、処理はステップＳ７２０に移される。もしそうでないと（ステップＳ７１８にてＮＯ）、処理はステップＳ７２２に移される。
【０１０２】
ステップＳ７２０にて、システム制御回路１１０は、ファイルＢの再生を開始する。これにより、テレビ１５０には、ファイルＡに相当する番組に続けて、ファイルＢに相当する番組が表示される。
【０１０３】
ステップＳ７２２にて、システム制御回路１１０は、再生の終了を検出する。この検出は、たとえば利用者がリモコン端末の停止ボタンを押下したとき、あるいは、ファイルＢが最後まで再生された場合に行なわれる。
【０１０４】
ステップＳ７２４にて、システム制御回路１１０は、初期画面の表示の指示を出力する。これにより、テレビ１５０には、予め設定されたブルーバック画面あるいはメニュー選択画面等が表示される。
【０１０５】
以上のような構造およびフローチャートに基づく、本実施の形態に係るデータ記録再生装置の動作について、データを記録する場合と再生する場合とについて説明する。
【０１０６】
［データを記録する場合］
利用者が録画ボタンを押下するとその指示が検出される（ステップＳ３０２）。その録画が開始し（ステップＳ３１２）、利用者が録画終了のボタンを押下すると（ステップＳ３１４）、録画の終了時には番組の情報が取得される（ステップＳ６１８）。
【０１０７】
その番組が連続ドラマである場合には（ステップＳ６２０にてＹＥＳ）、再生順序が生成され、ハードディスク１４４の所定の領域、すなわち再生順序をデータとして格納する領域に記録される（ステップＳ６２６）。
【０１０８】
［データを再生する場合］
利用者がリモコン端末の操作をしてファイルのリストを表示させる（ステップＳ４０２）。利用者が視聴しようとするファイル番号を選択すると、その選択結果が取得される（ステップＳ４０４）。選択されたファイルＡの再生が開始され（ステップＳ７０８）、ファイルＡの再生番号が再生中に読み出される（ステップＳ７１０）。
【０１０９】
このファイルＡの再生中にその再生番号の次の番号を有するファイルＢが検索され（ステップＳ７１２）、そのようなファイルＢが録画されている場合には（ステップＳ７１８にてＹＥＳ）、ファイルＡの再生後にファイルＢが再生される（ステップＳ７２０）。このようにしてファイルＡに続けてファイルＢが再生される。
【０１１０】
以上のようにして、本実施の形態に係るデータ記録再生装置によると、映像情報（たとえば連続ドラマ、あるいはシリーズ番組）などが録画される場合には、それぞれの番組情報に関連する属性情報として再生順序が記録される。このようにすると、番組を連続してハードディスク装置１４０に記録することなくその再生順序に基づいて再生することができるため、利用者は、連続番組を連続して視聴することができる。これにより、相互に関連性を有する映像を連続的に再生することができるデータ記録再生装置を提供することができる。
【０１１１】
＜変形例＞
以下、本発明の実施の形態の変形例について説明する。前述の第１および第２の実施の形態は、データを記録するための記録手段がハードディスク装置である場合についての説明であるが、本発明は、ハードディスク装置のようなランダムアクセス可能な記録手段に限られない。たとえばデータがビデオテープその他のシリアルアクセス可能な記録手段に記録されるものであってもよい。
【０１１２】
すなわち、データの記録（録画）時に、データの属性を利用者が入力し、その属性とビデオテープに記録される制御信号とに基づいて、ビデオテープにおけるデータの記録領域と内容（たとえば連続ドラマであるか否か等）とを関連付けて、ビデオテープのケースに備えられたメモリに管理データとして記憶してもよい。あるいは、そのようなメモリを有さないビデオテープに対しては、テープの先頭に録画される内容と属性とを含む管理データを記録するようにしてもよい。
【０１１３】
図８を参照して、本変形例に係る管理データについて説明する。図８は、管理データが格納されるテーブルの構造を表わす図である。このテーブルは、ビデオテープのケースに設けられたメモリに格納される場合もあれば、データ記録再生装置のメモリに格納される場合もある。
【０１１４】
管理データのレコード番号を表わす番号データは、フィールド８０２に格納される。この番号データは、新たに番組等が録画されるときに自動的に設定される。
【０１１５】
録画開始時刻データは、フィールド８０４に格納される。録画終了時刻データは、フィールド８０６に格納される。これらの時刻データは、計時回路１２６が出力する時刻データである。たとえばシステム制御回路１１０が録画の開始指示を出力したときの時刻データが、録画開始時刻データとして取得される。同様に、システム制御回路１１０が録画の終了指示を出力したときの時刻データが、録画終了時刻データとして取得され、所定のフィールドに格納される。
【０１１６】
タイトルデータは、フィールド８０８に格納される。このデータは、放送データに含まれる場合にはそのデータが格納され、利用者がリモコン端末（図示しない）を使用してデータを入力することができる場合には、入力データが格納される。
【０１１７】
録画チャネルデータは、フィールド８１０に格納される。このデータは、番組を受信しているときに設定されているチューナの受信チャネルを表わす。
【０１１８】
録画モードデータは、フィールド８１２に格納される。このデータは、番組を録画している場合のモードを表わす。このモードには、たとえば標準モード、３倍モード等が含まれる。
【０１１９】
このような構成を有するデータ記録再生装置において、利用者がこれから受信しようとするデータの属性を予め入力すると、その属性がこのテーブルに格納されたデータの属性と関連するか否か（たとえば継続して放送される番組、毎週同一時間に放送される番組等）が判断される。この判断は、たとえば、その属性を表わすコードを比較することにより行なわれる。これから受信しようとするデータが既にビデオテープに記録されたデータとが関連すると判断されると、ビデオテープに記録されたデータの記録の終了位置が、メモリに記録された管理データに基づいて頭出しされる。
【０１２０】
以上のようにして、本変形例に係るデータ記録再生装置によると、新たに受信しようとするデータは、その頭出しされた終了位置に続けて記録されるため、再生時には、利用者が番組ごとに早送りなどをすることなく、そのまま再生することができる。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２２】
【図１】本発明の実施の形態に係るデータ記録再生装置の構成を表わすブロック図である。
【図２】本発明の第１の実施の形態に係るデータ記録再生装置のハードディスクに記録されるデータの構造を表わす図である。
【図３】本発明の第１の実施の形態に係るデータ記録再生装置のシステム制御回路が実行する処理の手順を表わすフローチャート（その１）である。
【図４】本発明の第１の実施の形態に係るデータ記録再生装置のシステム制御回路が実行する処理の手順を表わすフローチャート（その２）である。
【図５】本発明の第２の実施の形態に係るデータ記録再生装置のハードディスクに記録されるデータの構造を表わす図である。
【図６】本発明の第２の実施の形態に係るデータ記録再生装置のシステム制御回路が実行する処理の手順を表わすフローチャート（その１）である。
【図７】本発明の第２の実施の形態に係るデータ記録再生装置のシステム制御回路が実行する処理の手順を表わすフローチャート（その２）である。
【図８】本発明の実施の形態の変形例に係るデータ記録再生装置にて使用されるデータが格納されるテーブル構造である。
【符号の説明】
【０１２３】
１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  情報記録ヘッド、１４４  ハードディスク、１５０  テレビ、１９０  アンテナ、２０２〜２１８，５２２〜５４０，８０２〜８１２  フィールド、５０２〜５１０  セクタ。
【図１】
2005310195.tif 000003
【図２】
2005310195.tif 000004
【図３】
2005310195.tif 000005
【図４】
2005310195.tif 000006
【図５】
2005310195.tif 000007
【図６】
2005310195.tif 000008
【図７】
2005310195.tif 000009
【図８】
2005310195.tif 000010